(57)【要約】【課題】２つのＡＶ機器からの音声出力のタイミングを同期させ、また音量を一致させる。【解決手段】ＡＶ機器２０１とＡＶ機器２０９とを有線又は無線で接続した音声出力制御システムにおいて、ＡＶ機器２０１はＡＶ機器２０９へ音声情報を送信し、ＡＶ機器２０９は、ＡＶ機器２０１から送信された音声信号の受信状況を応答するためのＡＣＫ信号３０４をＡＶ機器２０１へ送信する。ＡＶ機器２０１は、ＡＶ機器２０９からのＡＣＫ信号３０４を受信した後に音声情報の音声を出力し、ＡＶ機器２０９は、ＡＶ機器２０１へＡＣＫ信号３０４を送信した後に、受信された音声情報の音声を出力する。また、ＡＶ機器２０１とＡＶ機器２０９の通信が途切れた際に、ＡＶ機器２０９は、ＡＶ機器２０１から伝送される音量情報を保存するホールド部６０１を備え、ＡＶ機器２０９は、ホールド部６０１に保存された音量情報を反映する。【選択図】図６
2007097097.tif 000002
【特許請求の範囲】
【請求項１】
少なくとも音量制御機能及び音声出力機能を備えた第１の音響機器と、少なくとも音量制御機能及び音声出力機能を備えた第２の音響機器とを有線又は無線で接続した音声出力制御システムのための音声出力制御方法において、
上記第１の音響機器により、上記第２の音響機器へ音声情報を送信するステップと、
上記第２の音響機器により、上記第１の音響機器から送信された音声信号の受信状況を応答するための応答情報を上記第１の音響機器へ送信するステップと、
上記第１の音響機器により、上記第２の音響機器からの応答情報を受信した後に上記音声情報の音声を出力するステップと、
上記第２の音響機器により、上記第１の音響機器へ応答情報を送信した後に、上記受信された音声情報の音声を出力するステップとを含むことを特徴とする音声出力制御方法。
【請求項２】
上記第２の音響機器により上記受信された音声情報の音声を出力するステップは、
上記第２の音響機器により、上記第１の音響機器へ応答情報を送信した後に、上記第２の音響機器から上記第１の音響機器への伝送時間と、上記第１及び第２の音響機器における処理時間との合計時間と同じ時間又はそれ以上の時間が経過した後で、上記受信された音声情報の音声を出力するステップを含むことを特徴とする請求項１記載の音声出力制御方法。
【請求項３】
上記第１の音響機器は、上記第２の音響機器から応答情報を受信しないときに、上記音声情報の音声を出力するステップを実行しないことを特徴とする請求項１記載の音声出力制御方法。
【請求項４】
上記第１の音響機器は、少なくとも音量情報を含む音声情報を含む音情報パケット、又は、少なくとも音量情報と音声情報を含む音情報パケットを生成する生成部をさらに備え、
上記第２の音響機器は、上記音情報パケットから上記音量情報と上記音声情報とを分離する分離部をさらに備え、
上記音声出力制御方法は、
上記第１の音響機器により、上記音情報パケットを上記第２の音響機器へ送信することによって、上記第２の音響機器の音量を制御するステップをさらに含むことを特徴とする請求項１記載の音声出力制御方法。
【請求項５】
上記第１の音響機器は、音量情報を制御する音量制御部を備え、
上記第２の音響機器は、音量情報を制御する音量制御部と、上記第１の音響機器から受信された音量情報と上記音量制御部から入力された音量情報とのいずれか１つを選択するスイッチ部とを備え、
上記音声出力制御方法は、
上記第２の音響機器のスイッチ部が、上記第１の音響機器から受信された音量情報を選択するように制御されているとき、上記第１の音響機器により、上記第２の音響機器へ音量情報を送信することによって、上記第２の音響機器の音量制御を行うステップをさらに含むことを特徴とする請求項１記載の音声出力制御方法。
【請求項６】
上記第１の音響機器により、上記第２の音響機器へ音量情報を送信するステップと、
上記第１の音響機器により、上記第２の音響機器から送信された応答情報を受信した後に、上記音量情報の音量を反映するステップと、
上記第２の音響機器により、上記第１の音響機器へ応答情報を送信した後に、上記第１の音響機器から受信した音量情報の音量を反映するステップとを含むことを特徴とする請求項１記載の音声出力制御方法。
【請求項７】
上記第２の音響機器により上記音量情報の音量を反映するステップは、
上記第２の音響機器により、上記第１の音響機器へ応答情報を送信した後に、上記第２の音響機器から上記第１の音響機器への伝送時間と、上記第１及び第２の音響機器における処理時間との合計時間と同じ又はそれ以上の時間が経過した後に上記音量情報の音量を反映するステップを含むことを特徴とする請求項６記載の音声出力制御方法。
【請求項８】
上記第２の音響機器は、上記第１の音響機器から送信される音量情報を保存するホールド部をさらに備え、
上記音声出力制御方法は、
上記第１の音響機器と上記第２の音響機器の通信が途切れた際に、上記第２の音響機器により、上記ホールド部に保存された音量情報の音量を反映するステップを含むことを特徴とする請求項６記載の音声出力制御方法。
【請求項９】
上記第２の音響機器は、上記第１の音響機器から送信された音量情報を保存するホールド部と、音量情報生成部とを備え、上記音量情報生成部は、上記ホールド部に保存された音量情報と、上記第１の音響機器から送信された音量情報とに基づいて、上記ホールド部に保存された音量情報の音量と、上記第１の音響機器から送信された音量情報の音量との間の音量を有する仮想音量情報を生成し、上記音量情報及び上記仮想音量情報は、所定の尺度で表現されたレベルを有し、
上記音声出力制御方法は、
上記第１の音響機器と上記第２の音響機器の通信が途切れてから再び接続した後、上記第２の音響機器により、上記仮想音量情報の音量を反映した後に、上記第１の音響機器から送信された音量情報の音量を反映することを特徴とする請求項６記載の音声出力制御方法。
【請求項１０】
上記ホールド部に保存した音量情報のレベルと、上記第２の音響機器が受信する上記第１の音響機器から送信された音量情報のレベルとの差が所定の３レベル以上である場合、上記音量情報生成部により上記仮想音量情報を生成するステップをさらに含むことを特徴とする請求項９記載の音声出力制御方法。
【請求項１１】
上記仮想音量情報のレベルと上記ホールド部に保存された音量情報のレベルとの差は所定の２レベル以上であることを特徴とする請求項９記載の音声出力制御方法。
【請求項１２】
上記ホールド部に保存した音量情報のレベルと、上記第２の音響機器が受信する上記第１の音響機器から送信された音量情報のレベルとの差が所定の３レベル未満である場合、上記音量情報生成部により仮想音量情報を生成するステップを実行しないことを特徴とする請求項９記載の音声出力制御方法。
【請求項１３】
上記第１の音響機器と上記第２の音響機器の通信が途切れた間に変化した上記第１の音響機器の音量情報を、上記第１の音響機器と上記第２の音響機器の通信が途切れてから再び接続した際に、上記第１の音響機器から上記第２の音響機器へ送信しないことを特徴とする請求項６記載の音声出力制御方法。
【請求項１４】
上記第１の音響機器と上記第２の音響機器の通信が途切れてから再び接続した後、上記第１の音響機器により、音量を増大させる命令である音量アップ情報、又は音量を減少させる命令である音量ダウン情報を上記第２の音響機器へ送信するステップをさらに含むことを特徴とする請求項８記載の音声出力制御方法。
【請求項１５】
上記第２の音響機器は、上記第１の音響機器から送信された上記音量アップ情報又は音量ダウン情報に応答して音量情報を生成する音量情報生成部をさらに備え、
上記音声出力制御方法は、
上記音量アップ情報を受信した際には、上記音量情報生成部により、上記ホールド部に保存した音量情報のレベルに少なくとも所定の１レベルを加算して新たな音量情報を生成し、上記生成された新たな音量情報に基づき音声出力を実行するステップと、
上記音量ダウン情報を受信した際には、上記音量情報生成部により、上記ホールド部に保存した音量情報のレベルから少なくとも所定の１レベルを減算して新たな音量情報を生成し、上記生成された新たな音量情報に基づき音声出力を実行するステップとを含むことを特徴とする請求項１４記載の音声出力制御方法。
【請求項１６】
少なくとも音量制御機能及び音声出力機能を備えた第１の音響機器と、少なくとも音量制御機能及び音声出力機能を備えた第２の音響機器とを有線又は無線で接続した音声出力制御システムにおいて、
上記第１の音響機器は、上記第２の音響機器へ音声情報を送信し、
上記第２の音響機器は、上記第１の音響機器から送信された音声信号の受信状況を応答するための応答情報を上記第１の音響機器へ送信し、
上記第１の音響機器は、上記第２の音響機器からの応答情報を受信した後に上記音声情報の音声を出力し、
上記第２の音響機器は、上記第１の音響機器へ応答情報を送信した後に、上記受信された音声情報の音声を出力することを特徴とする音声出力制御システム。
【請求項１７】
上記第２の音響機器は、上記第１の音響機器へ応答情報を送信した後に、上記第２の音響機器から上記第１の音響機器への伝送時間と、上記第１及び第２の音響機器における処理時間との合計時間と同じ時間又はそれ以上の時間が経過した後で、上記受信された音声情報の音声を出力することを特徴とする請求項１６記載の音声出力制御システム。
【請求項１８】
上記第１の音響機器は、上記第２の音響機器から応答情報を受信しないときに、上記音声情報の音声を出力しないことを特徴とする請求項１６記載の音声出力制御システム。
【請求項１９】
上記第１の音響機器は、少なくとも音量情報を含む音声情報を含む音情報パケット、又は、少なくとも音量情報と音声情報を含む音情報パケットを生成する生成部をさらに備え、
上記第２の音響機器は、上記音情報パケットから上記音量情報と上記音声情報とを分離する分離部をさらに備え、
上記第１の音響機器は、上記音情報パケットを上記第２の音響機器へ送信することによって、上記第２の音響機器の音量を制御することを特徴とする請求項１６記載の音声出力制御システム。
【請求項２０】
上記第１の音響機器は、音量情報を制御する音量制御部を備え、
上記第２の音響機器は、音量情報を制御する音量制御部と、上記第１の音響機器から受信された音量情報と上記音量制御部から入力された音量情報とのいずれか１つを選択するスイッチ部とを備え、
上記第２の音響機器のスイッチ部が、上記第１の音響機器から受信された音量情報を選択するように制御されているとき、上記第１の音響機器は、上記第２の音響機器へ音量情報を送信することによって、上記第２の音響機器の音量制御を行うことを特徴とする請求項１６記載の音声出力制御システム。
【請求項２１】
上記第１の音響機器は、上記第２の音響機器へ音量情報を送信し、
上記第１の音響機器は、上記第２の音響機器から送信された応答情報を受信した後に、上記音量情報の音量を反映し、
上記第２の音響機器は、上記第１の音響機器へ応答情報を送信した後に、上記第１の音響機器から受信した音量情報の音量を反映することを特徴とする請求項１６記載の音声出力制御システム。
【請求項２２】
上記第２の音響機器は、上記第１の音響機器へ応答情報を送信した後に、上記第２の音響機器から上記第１の音響機器への伝送時間と、上記第１及び第２の音響機器における処理時間との合計時間と同じ又はそれ以上の時間が経過した後に上記音量情報の音量を反映することを特徴とする請求項２１記載の音声出力制御システム。
【請求項２３】
上記第２の音響機器は、上記第１の音響機器から送信される音量情報を保存するホールド部をさらに備え、
上記第１の音響機器と上記第２の音響機器の通信が途切れた際に、上記第２の音響機器は、上記ホールド部に保存された音量情報の音量を反映することを特徴とする請求項２１記載の音声出力制御システム。
【請求項２４】
上記第２の音響機器は、上記第１の音響機器から送信された音量情報を保存するホールド部と、音量情報生成部とを備え、上記音量情報生成部は、上記ホールド部に保存された音量情報と、上記第１の音響機器から送信された音量情報とに基づいて、上記ホールド部に保存された音量情報の音量と、上記第１の音響機器から送信された音量情報の音量との間の音量を有する仮想音量情報を生成し、上記音量情報及び上記仮想音量情報は、所定の尺度で表現されたレベルを有し、
上記第１の音響機器と上記第２の音響機器の通信が途切れてから再び接続した後、上記第２の音響機器は、上記仮想音量情報の音量を反映した後に、上記第１の音響機器から送信された音量情報の音量を反映することを特徴とする請求項２１記載の音声出力制御システム。
【請求項２５】
上記ホールド部に保存した音量情報のレベルと、上記第２の音響機器が受信する上記第１の音響機器から送信された音量情報のレベルとの差が所定の３レベル以上である場合、上記音量情報生成部は上記仮想音量情報を生成することを特徴とする請求項２４記載の音声出力制御システム。
【請求項２６】
上記仮想音量情報のレベルと上記ホールド部に保存された音量情報のレベルとの差は所定の２レベル以上であることを特徴とする請求項２４記載の音声出力制御システム。
【請求項２７】
上記ホールド部に保存した音量情報のレベルと、上記第２の音響機器が受信する上記第１の音響機器から送信された音量情報のレベルとの差が所定の３レベル未満である場合、上記音量情報生成部は仮想音量情報を生成しないことを特徴とする請求項２４記載の音声出力制御システム。
【請求項２８】
上記第１の音響機器と上記第２の音響機器の通信が途切れた間に変化した上記第１の音響機器の音量情報を、上記第１の音響機器と上記第２の音響機器の通信が途切れてから再び接続した際に、上記第１の音響機器から上記第２の音響機器へ送信しないことを特徴とする請求項２１記載の音声出力制御システム。
【請求項２９】
上記第１の音響機器と上記第２の音響機器の通信が途切れてから再び接続した後、上記第１の音響機器は、音量を増大させる命令である音量アップ情報、又は音量を減少させる命令である音量ダウン情報を上記第２の音響機器へ送信することを特徴とする請求項２３記載の音声出力制御システム。
【請求項３０】
上記第２の音響機器は、上記第１の音響機器から送信された上記音量アップ情報又は音量ダウン情報に応答して音量情報を生成する音量情報生成部をさらに備え、
上記第２の音響機器は、
上記音量アップ情報を受信した際には、上記音量情報生成部により、上記ホールド部に保存した音量情報のレベルに少なくとも所定の１レベルを加算して新たな音量情報を生成し、上記生成された新たな音量情報に基づき音声出力を実行し、
上記音量ダウン情報を受信した際には、上記音量情報生成部により、上記ホールド部に保存した音量情報のレベルから少なくとも所定の１レベルを減算して新たな音量情報を生成し、上記生成された新たな音量情報に基づき音声出力を実行することを特徴とする請求項２９記載の音声出力制御システム。
【請求項３１】
少なくとも音量制御機能及び音声出力機能を備えた第１の音響機器と、少なくとも音量制御機能及び音声出力機能を備えた第２の音響機器とを有線又は無線で接続した音声出力制御装置において、
上記第１の音響機器は、上記第２の音響機器へ音声情報を送信し、
上記第２の音響機器は、上記第１の音響機器から送信された音声信号の受信状況を応答するための応答情報を上記第１の音響機器へ送信し、
上記第１の音響機器は、上記第２の音響機器からの応答情報を受信した後に上記音声情報の音声を出力し、
上記第２の音響機器は、上記第１の音響機器へ応答情報を送信した後に、上記受信された音声情報の音声を出力することを特徴とする音声出力制御装置。
【請求項３２】
上記第２の音響機器は、上記第１の音響機器へ応答情報を送信した後に、上記第２の音響機器から上記第１の音響機器への伝送時間と、上記第１及び第２の音響機器における処理時間との合計時間と同じ時間又はそれ以上の時間が経過した後で、上記受信された音声情報の音声を出力することを特徴とする請求項３１記載の音声出力制御装置。
【請求項３３】
上記第１の音響機器は、上記第２の音響機器から応答情報を受信しないときに、上記音声情報の音声を出力しないことを特徴とする請求項３１記載の音声出力制御装置。
【請求項３４】
上記第１の音響機器は、少なくとも音量情報を含む音声情報を含む音情報パケット、又は、少なくとも音量情報と音声情報を含む音情報パケットを生成する生成部をさらに備え、
上記第２の音響機器は、上記音情報パケットから上記音量情報と上記音声情報とを分離する分離部をさらに備え、
上記第１の音響機器は、上記音情報パケットを上記第２の音響機器へ送信することによって、上記第２の音響機器の音量を制御することを特徴とする請求項３１記載の音声出力制御装置。
【請求項３５】
上記第１の音響機器は、音量情報を制御する音量制御部を備え、
上記第２の音響機器は、音量情報を制御する音量制御部と、上記第１の音響機器から受信された音量情報と上記音量制御部から入力された音量情報とのいずれか１つを選択するスイッチ部とを備え、
上記第２の音響機器のスイッチ部が、上記第１の音響機器から受信された音量情報を選択するように制御されているとき、上記第１の音響機器は、上記第２の音響機器へ音量情報を送信することによって、上記第２の音響機器の音量制御を行うことを特徴とする請求項３１記載の音声出力制御装置。
【請求項３６】
上記第１の音響機器は、上記第２の音響機器へ音量情報を送信し、
上記第１の音響機器は、上記第２の音響機器から送信された応答情報を受信した後に、上記音量情報の音量を反映し、
上記第２の音響機器は、上記第１の音響機器へ応答情報を送信した後に、上記第１の音響機器から受信した音量情報の音量を反映することを特徴とする請求項３１記載の音声出力制御装置。
【請求項３７】
上記第２の音響機器は、上記第１の音響機器へ応答情報を送信した後に、上記第２の音響機器から上記第１の音響機器への伝送時間と、上記第１及び第２の音響機器における処理時間との合計時間と同じ又はそれ以上の時間が経過した後に上記音量情報の音量を反映することを特徴とする請求項３６記載の音声出力制御装置。
【請求項３８】
上記第２の音響機器は、上記第１の音響機器から送信される音量情報を保存するホールド部をさらに備え、
上記第１の音響機器と上記第２の音響機器の通信が途切れた際に、上記第２の音響機器は、上記ホールド部に保存された音量情報の音量を反映することを特徴とする請求項３６記載の音声出力制御装置。
【請求項３９】
上記第２の音響機器は、上記第１の音響機器から送信された音量情報を保存するホールド部と、音量情報生成部とを備え、上記音量情報生成部は、上記ホールド部に保存された音量情報と、上記第１の音響機器から送信された音量情報とに基づいて、上記ホールド部に保存された音量情報の音量と、上記第１の音響機器から送信された音量情報の音量との間の音量を有する仮想音量情報を生成し、上記音量情報及び上記仮想音量情報は、所定の尺度で表現されたレベルを有し、
上記第１の音響機器と上記第２の音響機器の通信が途切れてから再び接続した後、上記第２の音響機器は、上記仮想音量情報の音量を反映した後に、上記第１の音響機器から送信された音量情報の音量を反映することを特徴とする請求項３６記載の音声出力制御装置。
【請求項４０】
上記ホールド部に保存した音量情報のレベルと、上記第２の音響機器が受信する上記第１の音響機器から送信された音量情報のレベルとの差が所定の３レベル以上である場合、上記音量情報生成部は上記仮想音量情報を生成することを特徴とする請求項３９記載の音声出力制御装置。
【請求項４１】
上記仮想音量情報のレベルと上記ホールド部に保存された音量情報のレベルとの差は所定の２レベル以上であることを特徴とする請求項３９記載の音声出力制御装置。
【請求項４２】
上記ホールド部に保存した音量情報のレベルと、上記第２の音響機器が受信する上記第１の音響機器から送信された音量情報のレベルとの差が所定の３レベル未満である場合、上記音量情報生成部は仮想音量情報を生成しないことを特徴とする請求項３９記載の音声出力制御装置。
【請求項４３】
上記第１の音響機器と上記第２の音響機器の通信が途切れた間に変化した上記第１の音響機器の音量情報を、上記第１の音響機器と上記第２の音響機器の通信が途切れてから再び接続した際に、上記第１の音響機器から上記第２の音響機器へ送信しないことを特徴とする請求項３６記載の音声出力制御装置。
【請求項４４】
上記第１の音響機器と上記第２の音響機器の通信が途切れてから再び接続した後、上記第１の音響機器は、音量を増大させる命令である音量アップ情報、又は音量を減少させる命令である音量ダウン情報を上記第２の音響機器へ送信することを特徴とする請求項３８記載の音声出力制御装置。
【請求項４５】
上記第２の音響機器は、上記第１の音響機器から送信された上記音量アップ情報又は音量ダウン情報に応答して音量情報を生成する音量情報生成部をさらに備え、
上記第２の音響機器は、
上記音量アップ情報を受信した際には、上記音量情報生成部により、上記ホールド部に保存した音量情報のレベルに少なくとも所定の１レベルを加算して新たな音量情報を生成し、上記生成された新たな音量情報に基づき音声出力を実行し、
上記音量ダウン情報を受信した際には、上記音量情報生成部により、上記ホールド部に保存した音量情報のレベルから少なくとも所定の１レベルを減算して新たな音量情報を生成し、上記生成された新たな音量情報に基づき音声出力を実行することを特徴とする請求項４４記載の音声出力制御装置。
【発明の詳細な説明】
【技術分野】
【０００１】
本発明は、音声出力機能をそれぞれ備えかつ有線又は無線で互いに接続された少なくとも２つのＡＶ機器を備えたＡＶシステムにおいて音声出力を制御する音声出力制御方法、音声出力制御システム及び音声出力制御装置に関するものである。
【背景技術】
【０００２】
従来技術に係るＡＶ（オーディオ／ビジュアル）機器の相互制御方法には、その音声出力制御方法も含まれる。例えば、特許文献１には、ＩＥＥＥ１３９４規格のシリアルバスなどを介して複数の機器を接続し、表示装置に操作画面を表示させて、遠隔制御する方法などが提案されている。
【０００３】
図１は、前記特許文献１に記載された従来技術の機器制御方法を示すものである。図１において、制御装置である表示装置１０１及びリモートコントローラ１０２と、被制御装置であるＴＶチューナ１０３と被制御装置であるディジタルビデオカセットレコーダ（ＤＶＣＲ）１０４は、ＩＥＥＥ１３９４シリアルバス１００で互いに接続されている。表示装置１０１は、ＴＶチューナ１０３又はＤＶＣＲ１０４の操作パネルを表示装置１０１上に表示するための情報を送信するように、ＴＶチューナ１０３又はＤＶＣＲ１０４に要求する。この操作パネルは、制御装置が被制御装置を遠隔操作する環境を提供する。表示装置１０１は、操作パネルの各要素に対応する機能と、リモートコントローラ１０２の各操作キーに対応する機能とを調べ、同一の機能があるか否かを検出し、同一の機能があった場合はリモートコントローラ１０２の操作キーを操作パネルの要素とを対応付ける。これにより、１回のリモートコントローラ操作で、所望の機能を遠隔制御する操作環境をユーザに提供できる。
【０００４】
【特許文献１】特開２００１−２５０７４号公報。
【発明の開示】
【発明が解決しようとする課題】
【０００５】
しかしながら、前記従来技術の構成では、音量制御においてリモートコントローラ１０２にも操作キーが備えられている音量アップ又は音量ダウンの操作しかできない。これは、表示装置１０１とＤＶＣＲ１０４を無線で接続したＡＶシステムにおいて、表示装置１０１が音声出力機能を有するか又はスピーカを接続可能な音声外部出力端子を有し、また、ＤＶＣＲ１０４がスピーカを接続可能な音声外部出力端子を有する場合、表示装置１０１に表示された操作画面によって、表示装置１０１に接続したスピーカからの音量と、ＤＶＣＲ１０４に接続したスピーカからの音量との両方を制御している際に問題となる。表示装置１０１とＤＶＣＲ１０４の間の無線通信が途切れた場合、表示装置１０１に接続したスピーカの音量は引き続き制御されるが、ＤＶＣＲ１０４に接続したスピーカへの音量制御情報は途切れるためにこのスピーカの音量は制御不可能になる。故に、表示装置１０１に接続したスピーカからの音量と、ＤＶＣＲ１０４に接続したスピーカからの音量が相違するようになり、ユーザに不快感を生じさせるという課題を有していた。
【０００６】
また、上記のようなＡＶシステムにおいて、表示装置１０１からの音声出力タイミングと、ＤＶＣＲ１０４からの音声出力タイミングとを同期させるための機構が設けられていなかった。故に、例えば、ＤＶＣＲ１０４から表示装置１０１へ音声情報を伝送する場合、詳しくは、ＤＶＣＲ１０４で音声情報をＡ／Ｄ変換してＩＥＥＥ１３９４シリアルバス１００上で伝送し、伝送された音声情報を表示装置１０１によって受信及びＤ／Ａ変換して音声出力する処理を行っている場合などにおいては、ＤＶＣＲ１０４に接続されたスピーカが音声出力してから、表示装置１０１に接続されたスピーカが音声出力するまでに、Ａ／Ｄ変換処理の処理時間と、ＤＶＣＲ１０４から表示装置１０１への伝送時間と、Ｄ／Ａ変換処理の処理時間との合計時間分の遅延が生じるなどの可能性がある。従って、ＤＶＣＲ１０４に接続されたスピーカからの音声出力タイミングと、表示装置１０１に接続されたスピーカからの音声出力タイミングが相違するようになり、ユーザに不快感を生じさせるという課題を有していた。
【０００７】
本発明は、前記従来の課題を解決するもので、少なくとも音量制御機能と音声出力機能を備えた第１のＡＶ機器と、少なくとも音量制御機能と音声出力機能を備えた第２のＡＶ機器とを有線又は無線で接続したＡＶシステムにおいて、第１のＡＶ機器からの音声出力と第２のＡＶ機器からの音声出力のタイミングを同期させ、また音量を一致させるための音声出力制御方法、音声出力制御システム及び音声出力制御装置を提供することを目的とする。
【課題を解決するための手段】
【０００８】
前記従来の課題を解決するために、本発明の第１の態様に係る音声出力制御方法は、
少なくとも音量制御機能及び音声出力機能を備えた第１の音響機器と、少なくとも音量制御機能及び音声出力機能を備えた第２の音響機器とを有線又は無線で接続した音声出力制御システムのための音声出力制御方法において、
上記第１の音響機器により、上記第２の音響機器へ音声情報を送信するステップと、
上記第２の音響機器により、上記第１の音響機器から送信された音声信号の受信状況を応答するための応答情報を上記第１の音響機器へ送信するステップと、
上記第１の音響機器により、上記第２の音響機器からの応答情報を受信した後に上記音声情報の音声を出力するステップと、
上記第２の音響機器により、上記第１の音響機器へ応答情報を送信した後に、上記受信された音声情報の音声を出力するステップとを含むことを特徴とする。
【０００９】
上記第２の音響機器により上記受信された音声情報の音声を出力するステップは、
上記第２の音響機器により、上記第１の音響機器へ応答情報を送信した後に、上記第２の音響機器から上記第１の音響機器への伝送時間と、上記第１及び第２の音響機器における処理時間との合計時間と同じ時間又はそれ以上の時間が経過した後で、上記受信された音声情報の音声を出力するステップを含んでもよい。
【００１０】
上記第１の音響機器は、上記第２の音響機器から応答情報を受信しないときに、上記音声情報の音声を出力するステップを実行しない。
【００１１】
上記第１の音響機器は、少なくとも音量情報を含む音声情報を含む音情報パケット、又は、少なくとも音量情報と音声情報を含む音情報パケットを生成する生成部をさらに備え、
上記第２の音響機器は、上記音情報パケットから上記音量情報と上記音声情報とを分離する分離部をさらに備え、
上記音声出力制御方法は、
上記第１の音響機器により、上記音情報パケットを上記第２の音響機器へ送信することによって、上記第２の音響機器の音量を制御するステップをさらに含んでもよい。
【００１２】
上記第１の音響機器は、音量情報を制御する音量制御部を備え、
上記第２の音響機器は、音量情報を制御する音量制御部と、上記第１の音響機器から受信された音量情報と上記音量制御部から入力された音量情報とのいずれか１つを選択するスイッチ部とを備え、
上記音声出力制御方法は、
上記第２の音響機器のスイッチ部が、上記第１の音響機器から受信された音量情報を選択するように制御されているとき、上記第１の音響機器により、上記第２の音響機器へ音量情報を送信することによって、上記第２の音響機器の音量制御を行うステップをさらに含んでもよい。
【００１３】
上記第１の音響機器により、上記第２の音響機器へ音量情報を送信するステップと、
上記第１の音響機器により、上記第２の音響機器から送信された応答情報を受信した後に、上記音量情報の音量を反映するステップと、
上記第２の音響機器により、上記第１の音響機器へ応答情報を送信した後に、上記第１の音響機器から受信した音量情報の音量を反映するステップとを含んでもよい。
【００１４】
上記第２の音響機器により上記音量情報の音量を反映するステップは、
上記第２の音響機器により、上記第１の音響機器へ応答情報を送信した後に、上記第２の音響機器から上記第１の音響機器への伝送時間と、上記第１及び第２の音響機器における処理時間との合計時間と同じ又はそれ以上の時間が経過した後に上記音量情報の音量を反映するステップを含んでもよい。
【００１５】
上記第２の音響機器は、上記第１の音響機器から送信される音量情報を保存するホールド部をさらに備え、
上記音声出力制御方法は、
上記第１の音響機器と上記第２の音響機器の通信が途切れた際に、上記第２の音響機器により、上記ホールド部に保存された音量情報の音量を反映するステップを含んでもよい。
【００１６】
上記第２の音響機器は、上記第１の音響機器から送信された音量情報を保存するホールド部と、音量情報生成部とを備え、上記音量情報生成部は、上記ホールド部に保存された音量情報と、上記第１の音響機器から送信された音量情報とに基づいて、上記ホールド部に保存された音量情報の音量と、上記第１の音響機器から送信された音量情報の音量との間の音量を有する仮想音量情報を生成し、上記音量情報及び上記仮想音量情報は、所定の尺度で表現されたレベルを有し、
上記音声出力制御方法は、
上記第１の音響機器と上記第２の音響機器の通信が途切れてから再び接続した後、上記第２の音響機器により、上記仮想音量情報の音量を反映した後に、上記第１の音響機器から送信された音量情報の音量を反映してもよい。
【００１７】
上記ホールド部に保存した音量情報のレベルと、上記第２の音響機器が受信する上記第１の音響機器から送信された音量情報のレベルとの差が所定の３レベル以上である場合、上記音量情報生成部により上記仮想音量情報を生成するステップをさらに含んでもよい。
【００１８】
上記仮想音量情報のレベルと上記ホールド部に保存された音量情報のレベルとの差は所定の２レベル以上であってもよい。
【００１９】
上記ホールド部に保存した音量情報のレベルと、上記第２の音響機器が受信する上記第１の音響機器から送信された音量情報のレベルとの差が所定の３レベル未満である場合、上記音量情報生成部により仮想音量情報を生成するステップを実行しない。
【００２０】
上記第１の音響機器と上記第２の音響機器の通信が途切れた間に変化した上記第１の音響機器の音量情報を、上記第１の音響機器と上記第２の音響機器の通信が途切れてから再び接続した際に、上記第１の音響機器から上記第２の音響機器へ送信しない。
【００２１】
上記第１の音響機器と上記第２の音響機器の通信が途切れてから再び接続した後、上記第１の音響機器により、音量を増大させる命令である音量アップ情報、又は音量を減少させる命令である音量ダウン情報を上記第２の音響機器へ送信するステップをさらに含んでもよい。
【００２２】
上記第２の音響機器は、上記第１の音響機器から送信された上記音量アップ情報又は音量ダウン情報に応答して音量情報を生成する音量情報生成部をさらに備え、
上記音声出力制御方法は、
上記音量アップ情報を受信した際には、上記音量情報生成部により、上記ホールド部に保存した音量情報のレベルに少なくとも所定の１レベルを加算して新たな音量情報を生成し、上記生成された新たな音量情報に基づき音声出力を実行するステップと、
上記音量ダウン情報を受信した際には、上記音量情報生成部により、上記ホールド部に保存した音量情報のレベルから少なくとも所定の１レベルを減算して新たな音量情報を生成し、上記生成された新たな音量情報に基づき音声出力を実行するステップとを含んでもよい。
【００２３】
また、本発明の第２の態様に係る音声出力制御システムは、
少なくとも音量制御機能及び音声出力機能を備えた第１の音響機器と、少なくとも音量制御機能及び音声出力機能を備えた第２の音響機器とを有線又は無線で接続した音声出力制御システムにおいて、
上記第１の音響機器は、上記第２の音響機器へ音声情報を送信し、
上記第２の音響機器は、上記第１の音響機器から送信された音声信号の受信状況を応答するための応答情報を上記第１の音響機器へ送信し、
上記第１の音響機器は、上記第２の音響機器からの応答情報を受信した後に上記音声情報の音声を出力し、
上記第２の音響機器は、上記第１の音響機器へ応答情報を送信した後に、上記受信された音声情報の音声を出力することを特徴とする。
【００２４】
上記第２の音響機器は、上記第１の音響機器へ応答情報を送信した後に、上記第２の音響機器から上記第１の音響機器への伝送時間と、上記第１及び第２の音響機器における処理時間との合計時間と同じ時間又はそれ以上の時間が経過した後で、上記受信された音声情報の音声を出力してもよい。
【００２５】
上記第１の音響機器は、上記第２の音響機器から応答情報を受信しないときに、上記音声情報の音声を出力しない。
【００２６】
上記第１の音響機器は、少なくとも音量情報を含む音声情報を含む音情報パケット、又は、少なくとも音量情報と音声情報を含む音情報パケットを生成する生成部をさらに備え、
上記第２の音響機器は、上記音情報パケットから上記音量情報と上記音声情報とを分離する分離部をさらに備え、
上記第１の音響機器は、上記音情報パケットを上記第２の音響機器へ送信することによって、上記第２の音響機器の音量を制御してもよい。
【００２７】
上記第１の音響機器は、音量情報を制御する音量制御部を備え、
上記第２の音響機器は、音量情報を制御する音量制御部と、上記第１の音響機器から受信された音量情報と上記音量制御部から入力された音量情報とのいずれか１つを選択するスイッチ部とを備え、
上記第２の音響機器のスイッチ部が、上記第１の音響機器から受信された音量情報を選択するように制御されているとき、上記第１の音響機器は、上記第２の音響機器へ音量情報を送信することによって、上記第２の音響機器の音量制御を実行してもよい。
【００２８】
上記第１の音響機器は、上記第２の音響機器へ音量情報を送信し、
上記第１の音響機器は、上記第２の音響機器から送信された応答情報を受信した後に、上記音量情報の音量を反映し、
上記第２の音響機器は、上記第１の音響機器へ応答情報を送信した後に、上記第１の音響機器から受信した音量情報の音量を反映してもよい。
【００２９】
上記第２の音響機器は、上記第１の音響機器へ応答情報を送信した後に、上記第２の音響機器から上記第１の音響機器への伝送時間と、上記第１及び第２の音響機器における処理時間との合計時間と同じ又はそれ以上の時間が経過した後に上記音量情報の音量を反映してもよい。
【００３０】
上記第２の音響機器は、上記第１の音響機器から送信される音量情報を保存するホールド部をさらに備え、
上記第１の音響機器と上記第２の音響機器の通信が途切れた際に、上記第２の音響機器は、上記ホールド部に保存された音量情報の音量を反映してもよい。
【００３１】
上記第２の音響機器は、上記第１の音響機器から送信された音量情報を保存するホールド部と、音量情報生成部とを備え、上記音量情報生成部は、上記ホールド部に保存された音量情報と、上記第１の音響機器から送信された音量情報とに基づいて、上記ホールド部に保存された音量情報の音量と、上記第１の音響機器から送信された音量情報の音量との間の音量を有する仮想音量情報を生成し、上記音量情報及び上記仮想音量情報は、所定の尺度で表現されたレベルを有し、
上記第１の音響機器と上記第２の音響機器の通信が途切れてから再び接続した後、上記第２の音響機器は、上記仮想音量情報の音量を反映した後に、上記第１の音響機器から送信された音量情報の音量を反映してもよい。
【００３２】
上記ホールド部に保存した音量情報のレベルと、上記第２の音響機器が受信する上記第１の音響機器から送信された音量情報のレベルとの差が所定の３レベル以上である場合、上記音量情報生成部は上記仮想音量情報を生成してもよい。
【００３３】
上記仮想音量情報のレベルと上記ホールド部に保存された音量情報のレベルとの差は所定の２レベル以上であってもよい。
【００３４】
上記ホールド部に保存した音量情報のレベルと、上記第２の音響機器が受信する上記第１の音響機器から送信された音量情報のレベルとの差が所定の３レベル未満である場合、上記音量情報生成部は仮想音量情報を生成しない。
【００３５】
上記第１の音響機器と上記第２の音響機器の通信が途切れた間に変化した上記第１の音響機器の音量情報を、上記第１の音響機器と上記第２の音響機器の通信が途切れてから再び接続した際に、上記第１の音響機器から上記第２の音響機器へ送信しない。
【００３６】
上記第１の音響機器と上記第２の音響機器の通信が途切れてから再び接続した後、上記第１の音響機器は、音量を増大させる命令である音量アップ情報、又は音量を減少させる命令である音量ダウン情報を上記第２の音響機器へ送信してもよい。
【００３７】
上記第２の音響機器は、上記第１の音響機器から送信された上記音量アップ情報又は音量ダウン情報に応答して音量情報を生成する音量情報生成部をさらに備え、
上記第２の音響機器は、
上記音量アップ情報を受信した際には、上記音量情報生成部により、上記ホールド部に保存した音量情報のレベルに少なくとも所定の１レベルを加算して新たな音量情報を生成し、上記生成された新たな音量情報に基づき音声出力を実行し、
上記音量ダウン情報を受信した際には、上記音量情報生成部により、上記ホールド部に保存した音量情報のレベルから少なくとも所定の１レベルを減算して新たな音量情報を生成し、上記生成された新たな音量情報に基づき音声出力を実行してもよい。
【００３８】
また、本発明の第３の態様に係る音声出力制御装置は、
少なくとも音量制御機能及び音声出力機能を備えた第１の音響機器と、少なくとも音量制御機能及び音声出力機能を備えた第２の音響機器とを有線又は無線で接続した音声出力制御装置において、
上記第１の音響機器は、上記第２の音響機器へ音声情報を送信し、
上記第２の音響機器は、上記第１の音響機器から送信された音声信号の受信状況を応答するための応答情報を上記第１の音響機器へ送信し、
上記第１の音響機器は、上記第２の音響機器からの応答情報を受信した後に上記音声情報の音声を出力し、
上記第２の音響機器は、上記第１の音響機器へ応答情報を送信した後に、上記受信された音声情報の音声を出力することを特徴とする。
【００３９】
上記第２の音響機器は、上記第１の音響機器へ応答情報を送信した後に、上記第２の音響機器から上記第１の音響機器への伝送時間と、上記第１及び第２の音響機器における処理時間との合計時間と同じ時間又はそれ以上の時間が経過した後で、上記受信された音声情報の音声を出力してもよい。
【００４０】
上記第１の音響機器は、上記第２の音響機器から応答情報を受信しないときに、上記音声情報の音声を出力しない。
【００４１】
上記第１の音響機器は、少なくとも音量情報を含む音声情報を含む音情報パケット、又は、少なくとも音量情報と音声情報を含む音情報パケットを生成する生成部をさらに備え、
上記第２の音響機器は、上記音情報パケットから上記音量情報と上記音声情報とを分離する分離部をさらに備え、
上記第１の音響機器は、上記音情報パケットを上記第２の音響機器へ送信することによって、上記第２の音響機器の音量を制御してもよい。
【００４２】
上記第１の音響機器は、音量情報を制御する音量制御部を備え、
上記第２の音響機器は、音量情報を制御する音量制御部と、上記第１の音響機器から受信された音量情報と上記音量制御部から入力された音量情報とのいずれか１つを選択するスイッチ部とを備え、
上記第２の音響機器のスイッチ部が、上記第１の音響機器から受信された音量情報を選択するように制御されているとき、上記第１の音響機器は、上記第２の音響機器へ音量情報を送信することによって、上記第２の音響機器の音量制御を実行してもよい。
【００４３】
上記第１の音響機器は、上記第２の音響機器へ音量情報を送信し、
上記第１の音響機器は、上記第２の音響機器から送信された応答情報を受信した後に、上記音量情報の音量を反映し、
上記第２の音響機器は、上記第１の音響機器へ応答情報を送信した後に、上記第１の音響機器から受信した音量情報の音量を反映してもよい。
【００４４】
上記第２の音響機器は、上記第１の音響機器へ応答情報を送信した後に、上記第２の音響機器から上記第１の音響機器への伝送時間と、上記第１及び第２の音響機器における処理時間との合計時間と同じ又はそれ以上の時間が経過した後に上記音量情報の音量を反映してもよい。
【００４５】
上記第２の音響機器は、上記第１の音響機器から送信される音量情報を保存するホールド部をさらに備え、
上記第１の音響機器と上記第２の音響機器の通信が途切れた際に、上記第２の音響機器は、上記ホールド部に保存された音量情報の音量を反映してもよい。
【００４６】
上記第２の音響機器は、上記第１の音響機器から送信された音量情報を保存するホールド部と、音量情報生成部とを備え、上記音量情報生成部は、上記ホールド部に保存された音量情報と、上記第１の音響機器から送信された音量情報とに基づいて、上記ホールド部に保存された音量情報の音量と、上記第１の音響機器から送信された音量情報の音量との間の音量を有する仮想音量情報を生成し、上記音量情報及び上記仮想音量情報は、所定の尺度で表現されたレベルを有し、
上記第１の音響機器と上記第２の音響機器の通信が途切れてから再び接続した後、上記第２の音響機器は、上記仮想音量情報の音量を反映した後に、上記第１の音響機器から送信された音量情報の音量を反映してもよい。
【００４７】
上記ホールド部に保存した音量情報のレベルと、上記第２の音響機器が受信する上記第１の音響機器から送信された音量情報のレベルとの差が所定の３レベル以上である場合、上記音量情報生成部は上記仮想音量情報を生成してもよい。
【００４８】
上記仮想音量情報のレベルと上記ホールド部に保存された音量情報のレベルとの差は所定の２レベル以上であってもよい。
【００４９】
上記ホールド部に保存した音量情報のレベルと、上記第２の音響機器が受信する上記第１の音響機器から送信された音量情報のレベルとの差が所定の３レベル未満である場合、上記音量情報生成部は仮想音量情報を生成しない。
【００５０】
上記第１の音響機器と上記第２の音響機器の通信が途切れた間に変化した上記第１の音響機器の音量情報を、上記第１の音響機器と上記第２の音響機器の通信が途切れてから再び接続した際に、上記第１の音響機器から上記第２の音響機器へ送信しない。
【００５１】
上記第１の音響機器と上記第２の音響機器の通信が途切れてから再び接続した後、上記第１の音響機器は、音量を増大させる命令である音量アップ情報、又は音量を減少させる命令である音量ダウン情報を上記第２の音響機器へ送信してもよい。
【００５２】
上記第２の音響機器は、上記第１の音響機器から送信された上記音量アップ情報又は音量ダウン情報に応答して音量情報を生成する音量情報生成部をさらに備え、
上記第２の音響機器は、
上記音量アップ情報を受信した際には、上記音量情報生成部により、上記ホールド部に保存した音量情報のレベルに少なくとも所定の１レベルを加算して新たな音量情報を生成し、上記生成された新たな音量情報に基づき音声出力を実行し、
上記音量ダウン情報を受信した際には、上記音量情報生成部により、上記ホールド部に保存した音量情報のレベルから少なくとも所定の１レベルを減算して新たな音量情報を生成し、上記生成された新たな音量情報に基づき音声出力を実行してもよい。
【発明の効果】
【００５３】
本発明の音声出力制御方法によれば、少なくとも音量制御機能と音声出力機能を備えた第１の音響機器（又はＡＶ機器）と、少なくとも音量制御機能と音声出力機能を備えた第２の音響機器（又はＡＶ機器）とを有線又は無線で接続したＡＶシステムにおいて、第１の音響機器からの音声出力と第２の音響機器からの音声出力のタイミングを同期させ、また音量を一致させることができる。
【発明を実施するための最良の形態】
【００５４】
以下、本発明を実施するための最良の形態について、図面を参照しながら説明する。
【００５５】
第１の実施形態．
図２は、本発明の第１の実施形態に係るＡＶシステムの構成を示すブロック図である。本実施形態のＡＶシステムは、無線接続された２つのＡＶ機器２０１及び２０９を備えて構成され、ＡＶ機器２０１及び２０９は、音声出力機能又は音声出力端子を備えた任意の音響機器であり、本実施形態において、ＡＶ機器２０１にはスピーカ２０６が接続され、ＡＶ機器２０９にはスピーカ２１６が接続されている。本願明細書において、ＡＶ機器とは、音声のみを出力する機器と、映像及び音声の両方を出力する機器との２種類の機器を含む。
【００５６】
ＡＶ機器２０１において、ＡＶ機器２０１全体を制御するＣＰＵ部２０２は、メディア再生部２０３の動作を制御し、メディア再生部２０３で取得された音声情報をメディア再生部２０３から音声出力部２０４へ伝送する。メディア再生部２０３は、任意の記録媒体のプレーヤ又はレコーダであるか、それに代わってチューナ等であることが可能である。音声出力部２０４は、メディア再生部２０３から伝送された音声情報を、音量制御部２０５から入力された一般にボリュームなどと呼ばれる音量情報によって指定される音量で、スピーカ２０６から出力する。また、ＣＰＵ部２０２は、メディア再生部２０３から音声出力部２０４を介して受信した音声情報を無線通信部（以下、通信部という。）２０７へ伝送し、通信部２０７で送信処理後にアンテナ２０８から送信させる。また、ＣＰＵ部２０２は、音量制御部２０５から音声出力部２０４を介して受信した音量情報を通信部２０７へ伝送し、通信部２０７で送信処理後にアンテナ２０８から送信させる。
【００５７】
一方、ＡＶ機器２０９において、ＡＶ機器２０９全体を制御するＣＰＵ部２１２は、アンテナ２１０を介して受信されかつ無線通信部（以下、通信部という。）２１１で受信処理された音声情報を音声出力部２１３へ伝送する。また、ＣＰＵ部２１２は、アンテナ２１０を介して受信されかつ通信部２１１で受信処理された音量情報をスイッチ部２１４へ伝送する。スイッチ部２１４の２つの入力側端子ａ，ｂはＣＰＵ部２１２と音量制御部２１５にそれぞれ接続され、その出力側端子は音声出力部２１３に接続され、スイッチ部２１４を切り替えることにより、ＣＰＵ部２１２からの音量信号と音量制御部２１５からの音量信号とのいずれかを音声出力部２１３に伝送するように選択する。音声出力部２１３は、スイッチ部２１４から伝送された音量情報で指定される音量で、音声情報をスピーカ２１６から出力する。ＡＶ機器２０９のＣＰＵ２１２はさらに、ＡＶ機器２０１からのデータ（音声情報及び音量情報等）に対するＡＣＫ（肯定応答）信号を通信部２１１及びアンテナ２１０を用いて送信する。ＡＶ機器２０１では、ＡＶ機器２０９から送信されたＡＣＫ信号がそのアンテナ２０８及び通信部２０７を用いて受信され、ＣＰＵ２０２に伝送される。
【００５８】
かかる構成によれば、ＣＰＵ部２１２から伝送された音量情報を音声出力部２１３に伝送するようにＡＶ機器２０９のスイッチ部２１４を設定することにより、ＡＶ機器２０９の音声出力部２１３における音声信号の音量を、ＡＶ機器２０１の音量制御部２０５で制御することが可能となる。
【００５９】
図３は、図２のＡＶ機器２０１及びＡＶ機器２０９を備えたＡＶシステムにおける音声情報の伝送方法を示すタイミングチャートである。
【００６０】
図３において、時間軸３０１は、図２のＡＶ機器２０１における通信の時間の流れを示し、時間軸３０２は、図２のＡＶ機器２０９における通信の時間の流れを示す。ＡＶ機器２０１は、時間軸３０１上のある時点において音声情報３０３を用意し、ＡＶ機器２０９へ送信する。ＡＶ機器２０９は、時間軸３０２上のある時点において、ＡＶ機器２０１から送信された音声情報３０３を受信し、それに対する通信応答信号としてＡＶ機器２０１へ伝送するＡＣＫ信号３０４を生成して、ＡＶ機器２０９へ送信する。また、ＡＶ機器２０９は、所定の遅延時間３０５が経過した後に、スピーカ２１６から音声出力信号３０６を出力する。一方、時間軸３０１上で、ＡＶ機器２０１は、ＡＣＫ信号３０４を受信すると、スピーカ２０６から音声出力信号３０７を出力する。ＡＶ機器２０１は、ＡＶ機器２０９からＡＣＫ信号３０４を受信しなければ、音声出力信号３０７を出力しない。
【００６１】
かかる構成によれば、ＡＶ機器２０１が、ＡＶ機器２０９からのＡＣＫ信号３０４を受信した後に音声出力信号３０７を出力し、ＡＶ機器２０９が、ＡＶ機器２０１へＡＣＫ信号３０４を伝送して遅延時間３０５が経過した後に、音声出力信号３０６を出力することによって、ＡＶ機器２０１の音声出力とＡＶ機器２０９の音声出力とのタイミングが一致する。ここで、時間軸３０１と時間軸３０２の絶対時間は同じである必要はなく、また、時間変動も同期する必要はない。また、遅延時間３０５とは、少なくとも、ＡＶ機器２０１からＡＶ機器２０９への伝送時間と、ＡＶ機器２０１がＡＶ機器２０９へ音声情報を伝送するための処理時間とを合計した時間で、ここで処理時間とは、例えば、ＡＶ機器２０１がＡ／Ｄ変換を行いかつＡＶ機器２０９がＤ／Ａ変換を行うように構成された場合は、ＡＶ機器２０１におけるＡ／Ｄ変換のための処理時間と、ＡＶ機器２０９におけるＤ／Ａ変換のための処理時間との合計時間である。
【００６２】
図４は、図２のＡＶ機器２０１及びＡＶ機器２０９を備えたＡＶシステムにおける音量情報の伝送方法を示すタイミングチャートである。図４において、図３と同じ構成要素については同じ符号を用い、説明を省略する。
【００６３】
図４において、ＡＶ機器２０１は、時間軸３０１上のある時点において音量情報４０１を用意し、ＡＶ機器２０９へ送信する。ＡＶ機器２０９は、時間軸３０２上のある時点において、ＡＶ機器２０１から送信された音量情報４０１を受信し、それに対する通信応答としてＡＶ機器２０１へ伝送するＡＣＫ信号４０２を生成して、ＡＶ機器２０９へ送信する。また、ＡＶ機器２０９のＣＰＵ部２１２は、所定の遅延時間４０３が経過した後に、受信された音量情報４０１に従って、その音量を反映させるための制御信号４０３を音声出力部２１３へ送信する。一方、時間軸３０１上において、ＡＶ機器２０１のＣＰＵ部２０２は、ＡＣＫ信号４０２を受信すると、音量情報４０１で指定される音量を反映させるための制御信号４０４を音声出力部２０４へ送信する。
【００６４】
かかる構成によれば、ＡＶ機器２０１のＣＰＵ部２０２は、ＡＶ機器２０９からのＡＣＫ信号４０２を受信した後に、制御信号４０４を音声出力部２０４に送信することによって音量情報４０１の音量を反映させ、ＡＶ機器２０９のＣＰＵ部２１２は、ＡＶ機器２０１へＡＣＫ信号４０２伝送して遅延時間３０５が経過した後に、制御信号４０３を音声出力部２１３に送信することによって音量情報４０１の音量を反映させ、これにより、ＡＶ機器２０１の音声出力部２０４における音量と、ＡＶ機器２０９の音声出力部２１３における音量とが一致する。
【００６５】
図５は、図２のＡＶ機器２０１及びＡＶ機器２０９を備えたＡＶシステムにおける音量情報の伝送方法を示すタイミングチャートである。図５において、図３と同じ構成要素については同じ符号を用い、説明を省略する。また、ここでは、段階的に増大する音量に対して、所定の尺度で表現されたレベル１からレベル９までのラベルが付与され、これらのレベルを音量情報として用いるものとする。
【００６６】
図５において、時間軸３０１にそって、ＡＶ機器２０１の音量情報をレベル１から順にレベル９まで音量アップすると、時間軸３０２にそって、ＡＶ機器２０９の音量情報もレベル１から順にレベル９まで音量アップする。かかる構成によれば、図５に示す音量情報の遷移は、ＡＶ機器２０１とＡＶ機器２０９との通信が正常である場合の音量情報の通信方法である。
【００６７】
第１の実施形態の変形例．
なお、本実施形態において、図２のようなＡＶシステムの構成図を示したが、別の構成でもよい。また、本実施形態を複数のＡＶ機器を含むＡＶシステムとして説明したが、少なくとも音声制御機能及び音声出力機能を備えた複数の音響機器を含み、音声を再生可能な音響システムであればよい。また、ＡＶ機器２０１に備えられたメディア再生部２０３の音声情報を、音声出力部２０４へ伝送するとしたが、ＡＶ機器２０１に備えられた外部音声入力端子（図示せず。）など、別の経路から取得された音声情報を音声出力部２０４へ伝送してもよい。
【００６８】
また、ＡＶ機器２０１において、音声情報をメディア再生部２０３から音声出力部２０４を介してＣＰＵ部２０２に伝送するとしたが、音声情報をメディア再生部２０３からＣＰＵ部２０２に伝送してもよい。また、ＡＶ機器２０１において、音量情報を音声制御部２０５から音声出力部２０４を介してＣＰＵ部２０２に伝送するとしたが、音量情報を音声制御部２０５からＣＰＵ部２０２に伝送してもよい。また、ＡＶ機器２０１において、音量制御部２０５はＣＰＵ部２０２の制御を受けないものとして説明したが、ＣＰＵ部２０２が音量制御部２０５を制御してもよい。また、ＡＶ機器２０１において、音量制御部２０５はＣＰＵ部２０２と別であるとしたが、音量制御部２０５はＣＰＵ部２０２に含まれてもよい。また、ＡＶ機器２０１において、通信部２０７はＣＰＵ部２０２と別であるとしたが、通信部２０７はＣＰＵ部２０２に含まれてもよい。また、ＡＶ機器２０１において、スピーカ２０６はＡＶ機器２０１と別であるとしたが、スピーカ２０６はＡＶ機器２０１に含まれていてもよい。
【００６９】
また、ＡＶ機器２０９において、音声情報を通信部２１１からＣＰＵ部２１２を介して音声出力部２１３に伝送するとしたが、音声情報を通信部２１１から音声出力部２１３に伝送してもよい。また、ＡＶ機器２０９において、音量情報を通信部２１１からＣＰＵ部２１２を介してスイッチ部２１４に伝送するとしたが、音量情報を通信部２１１からスイッチ部２１４に伝送してもよい。また、ＡＶ機器２０９において、音量制御部２１５はＣＰＵ部２１２の制御を受けないものとして説明したが、ＣＰＵ部２１２が音量制御部２１５を制御してもよい。また、ＡＶ機器２０９において、音量制御部２１５はＣＰＵ部２１２と別であるとしたが、音量制御部２１５はＣＰＵ部２１２に含まれてもよい。また、ＡＶ機器２０９において、通信部２１１はＣＰＵ部２１２と別であるとしたが、通信部２１１はＣＰＵ部２１２に含まれてもよい。また、ＡＶ機器２０９において、スピーカ２１６はＡＶ機器２０９と別であるとしたが、スピーカ２１６はＡＶ機器２０９に含まれてもよい。また、ＡＶ機器２０９において、スイッチ部２１４は音声出力部２１３と別であるとしたが、スイッチ部２１４は音声出力部２１３に含まれてもよい。
【００７０】
また、ＡＶ機器２０１とＡＶ機器２０９の間を無線通信で接続するとしたが、本願明細書において、無線通信とは、電波を利用したものや、光通信を利用したものを含むあらゆる通信手段のうちのいずれであってもよく、また、これらのＡＶ機器を有線接続してもよい。
【００７１】
また、図５において、ＡＶ機器２０１からＡＶ機器２０９へ音量情報を伝送し、ＡＶ機器２０９は１つの音量情報を受信する毎に１つのＡＣＫ信号をＡＶ機器２０９へ伝送するとしたが、ＡＶ機器２０９は音量情報を複数受信する毎に１つのＡＣＫ信号をＡＶ機器２０９へ伝送するとしてもよい。また、図５において、ＡＶ機器２０１はＡＶ機器２０９からのＡＣＫ信号を受信後にＡＶ機器２０９へ伝送する次の音量情報を用意するとしたが、ＡＶ機器２０１は、ＡＶ機器２０９からのＡＣＫ信号を受信する前に、ＡＶ機器２０９へ伝送する次の音量情報を用意するとしてもよい。
【００７２】
第２の実施形態．
図６は、本発明の第２の実施形態に係るＡＶシステムの構成を示すブロック図である。本実施形態の特徴は、互いに通信する２つのＡＶ機器間において、通信の中断が発生したときの動作にある。図６において、図２と同じ構成要素については同じ符号を用い、説明を省略する。
【００７３】
図６において、ＡＶ機器２０９は、ＣＰＵ部２１２に接続されたホールド部６０１をさらに備え、このホールド部６０１には、ＡＶ機器２０１とＡＶ機器２０９との通信が可能である期間中に、ＡＶ機器２０１から送信された音量情報の最新値が保存されている。かかる構成によれば、ＡＶ機器２０１からＡＶ機器２０９へ音量情報が伝送されている際に、ＡＶ機器２０１とＡＶ機器２０９とが通信不可になった場合、ＡＶ機器２０９のＣＰＵ部２１２は、ホールド部６０１から音量情報を読み出し、この読み出された音量情報を音声出力部２１３へ送信する。ＡＶ機器２０１とＡＶ機器２０９との通信が再確立されると、ＡＶ機器２０９のＣＰＵ部２１２は、ホールド部６０１から読み出した音量情報に代えて、通信部２１１で受信した音量情報を音声出力部２１３へ送信する。
【００７４】
図７は、図６のＡＶ機器２０１及びＡＶ機器２０９を備えたＡＶシステムにおける音声情報の伝送方法を示すタイミングチャートである。図７において、図３と同じ構成要素については同じ符号を用い、説明を省略する。
【００７５】
図７において、時間軸３０２上に、ＡＶ機器２０１とＡＶ機器２０９とが通信できない通信不可期間７０１と、そのときのＡＶ機器２０９における音量情報７０２とを示す。かかる構成によれば、ＡＶ機器２０１とＡＶ機器２０９とが通信不可になると、ＡＶ機器２０９のＣＰＵ部２１２は、ＡＶ機器２０１とＡＶ機器２０９とが通信可であった際の最新の音量情報（図７においてはレベル３の音量情報）をホールド部６０１から読み出し、これにより、ＡＶ機器２０１とＡＶ機器２０９との通信不可期間７０１において、ＡＶ機器２０９の音量情報７０２はレベル３となっている。また、ＡＶ機器２０１とＡＶ機器２０９との通信が再確立されると、ＡＶ機器２０１は、通信不可期間７０１に伝送されなかった音量情報（図７ではレベル４、５、６の音量情報）ではなく、ＡＶ機器２０１における最新のレベル７の音量情報を、ＡＶ機器２０９へ送信する。ＡＶ機器２０９はレベル７の音量情報を受信すると、ホールド部６０１の内容を、レベル３からレベル７の音量情報へ更新する。
【００７６】
第２の実施形態の変形例．
なお、本実施形態においても、第１の実施形態の変形例と同様に、その変形例の構成を実装できることは明らかであろう。例えば、図６にＡＶシステムの構成図を示したが、別の構成でもよい。
【００７７】
第３の実施形態．
図８は、本発明の第３の実施形態に係るＡＶシステムの構成を示すブロック図である。本実施形態の特徴は、互いに通信する２つのＡＶ機器間において、通信の中断が発生したときの動作にある。ＡＶ機器２０９は、ＣＰＵ部２１２に接続されたメモリ８０１をさらに備えて構成され、メモリ８０１は、ＡＶ機器２０１から送信された音量情報を保存する。ＡＶ機器２０９はまた、ＣＰＵ部２１２とスイッチ部２１４との間に挿入され、仮想音量情報（詳細後述）を生成する音量情報生成部８０２をさらに備えて構成される。図８において、図２及び図６と同じ構成要素については同じ符号を用い、説明を省略する。
【００７８】
図９は、図８のＡＶ機器２０１及びＡＶ機器２０９を備えたＡＶシステムにおける音量情報の伝送方法、及び仮想音量情報の生成方法を示すタイミングチャートである。図９において、図３及び図７と同じ構成要素については同じ符号を用い、説明を省略する。
【００７９】
図９において、図８のＡＶ機器２０９は、ＡＶ機器２０１とＡＶ機器２０９との通信がいったん切断されて再接続された後で、音量情報生成部８０２を用いて仮想音量情報９０１を生成する。かかる構成によれば、ＡＶ機器２０１とＡＶ機器２０９との通信がいったん切断されて再接続された時点で、ホールド部６０１の音量情報（図９においては、レベル３の音量情報）と、ＡＶ機器２０１から新たに送信された音量情報（例えばレベル９の音量情報）との間に大きな差が存在する場合であっても、ＡＶ機器２０９は、２つの音量情報の間の中間的な大きさの音量情報（すなわち仮想音量情報９０１）を生成して音声出力部２１３に反映させることにより、スピーカ２１６から出力される音声の音量の急激な増大を防止することができる。そのため、ＡＶ機器２０９は、レベル３からレベル９の音量情報へと更新する前に、仮想音量情報９０１を生成して音声出力部２１３に反映させる。
【００８０】
図１０は、図８のＡＶシステムのＡＶ機器２０９において実行される仮想音量情報生成処理を示すフローチャートである。図１０のステップ１００１において、ＡＶ機器２０１とＡＶ機器２０９との通信がいったん切断されて再接続されると、ＡＶ機器２０９は、ＡＶ機器２０９が受信した音量情報をメモリ８０１に保存する。次に、ステップ１００２において、メモリ８０１に保存された音量情報のレベルと、ホールド部６０１に保存された音量情報のレベルとの差分Ｄ１を計算し、比較ステップ１００３及び１００５において、計算された差分Ｄ１の絶対値が３以上であるか否かを判定する。図１０のフローチャートでは、差分Ｄ１が３以上又は−３以下であるかを判定している。メモリ８０１に保存された音量情報のレベルが、ホールド部６０１に保存された音量情報のレベルよりも３レベル以上大きいならば、ステップ１００４に進み、次式のようにホールド部６０１に保存された音量情報を更新する。
【００８１】
［数１］
（ホールド部６０１に保存された音量情報のレベル）
←（ホールド部６０１に保存された音量情報のレベル）＋２
【００８２】
次いで、数１の結果をスイッチ部２１４を介して音声出力部２１３に伝送するとともに、ホールド部６０１に保存する。次いで差分Ｄ１を計算するステップ１００２に戻り、処理を繰り返す。一方、メモリ８０１に保存された音量情報のレベルが、ホールド部６０１に保存された音量情報のレベルよりも３レベル以上小さいならば、ステップ１００６に進み、次式のようにホールド部６０１に保存された音量情報を更新する。
【００８３】
［数２］
（ホールド部６０１に保存された音量情報のレベル）
←（ホールド部６０１に保存された音量情報のレベル）−２
【００８４】
次いで、数２の結果をスイッチ部２１４を介して音声出力部２１３に伝送するとともに、ホールド部６０１に保存する。次いで差分Ｄ１を計算するステップ１００２に戻り、処理を繰り返す。また、差分Ｄ１の絶対値が３未満であれば、ステップ１００７において、メモリ８０１に保存された音量情報をスイッチ部２１４を介して音声出力部に伝送し、仮想音量情報９０１を生成する処理を終了する。
【００８５】
かかる構成によれば、音量情報生成部８０２は、ＡＶ機器２０１とＡＶ機器２０９の通信がいったん切断されて再接続された時点で、ホールド部６０１に保存された音量情報と、メモリ８０１に保存されたＡＶ機器２０１から伝送される音量情報を比較し、差分Ｄ１の絶対値が３以上であれば、音量情報生成部８０２は数１又は数２の計算を実行して、計算結果をスイッチ部２１４を介して音声出力部２１６へ伝送する。それと同時に、計算結果をホールド部６０１へ保存する。音声情報生成部８０２が数１又は数２の計算を実行して計算結果を音声出力部２１６へ伝送する処理時間内に、ＡＶ機器２０１から音量情報が受信されていれば、メモリ８０１の内容は、その受信された音量情報の値に更新されている。そこで、再度、ホールド部６０１に保存された音量情報と、メモリ８０１に保存された音量情報とを比較し、差分Ｄ１の絶対値が３以上であれば同様の処理を行う。
【００８６】
第３の実施形態の変形例．
なお、本実施形態においても、第１の実施形態の変形例と同様に、その変形例の構成を実装できることは明らかであろう。本実施形態において、図９にＡＶシステムの構成図を示したが、別の構成でもよい。また、音量情報生成部８０２を、音量情報を受信するＡＶ機器２０９に備えて、仮想音量情報９０１を生成するとしたが、音量情報生成部８０２を、音量情報を送信するＡＶ機器２０１に備えて、仮想音量情報９０１を生成するとしてもよい。また、音量情報生成部８０２をＣＰＵ部２１２と別に備えるとしたが、音量情報生成部８０２をＣＰＵ部２１２に含めてもよい。また、音量情報生成部８０２をスイッチ部２１４と別に備えるとしたが、音量情報生成部８０２をスイッチ部２１４に含めてもよい。
【００８７】
また、比較ステップ１００３及び１００５において、差分Ｄ１の絶対値が３以上であれば、計算を行うステップ１００４又は１００６に進むとしたが、このようなしきい値は３以外の別の値でもよい。また、計算を行うステップ１００４及び１００６で、ホールド部６０１に保存された音量情報の値に対して２を加算する、又は減算するとしたが、ホールド部６０１に保存された音量情報に加算する、又は減算する値は、２以外でもよい。また、計算を行うステップ１００５で、ホールド部６０１に保存された音量情報の値に加算する、又は減算する値を「２」の１つのみであるとしたが、異なる複数の値を加算又は減算してもよい。それに代わって、小数又は分数などを含む別の値を加算したり、減算したりしてもよい。また、数１又は数２を用いて加算又は減算を行うとしたが、割り算や掛け算などを含む別の計算式を用いたステップを実行してもよい。
【００８８】
また、ステップ１００４又は１００６において、数１又は数２の計算結果をスイッチ部２１４を介して音声出力部２１３に伝送することと、計算結果をホールド部６０１に保存することとを同時（並列）に行うものとして説明したが、計算結果をスイッチ部２１４を介して音声出力部２１３に伝送してから計算結果をホールド部６０１に保存してもよく、それに代わって、計算結果をホールド部６０１に保存してから計算結果をスイッチ部２１４を介して音声出力部２１３に伝送してもよい。
【００８９】
また、図１０に仮想音量情報９０１の生成手順を示したが、これは単なる例示にすぎず、別の方法でもよい。
【００９０】
第４の実施形態．
図１１は、本発明の第４の実施形態に係るＡＶシステムの構成を示すブロック図である。本実施形態の特徴は、互いに通信する２つのＡＶ機器間において、通信の中断が発生したときの動作にある。図１１において、図２及び図６と同じ構成要素については同じ符号を用い、説明を省略する。
【００９１】
図１２において、ＡＶ機器２０１は、ＣＰＵ部２０２にそれぞれ接続された出力判定部１１０２とメモリ１１０１とを備えて構成され、メモリ１１０１に保存された音量情報と、ＡＶ機器２０１及びＡＶ機器２０９が通信を再開したときの音量情報とに基づいて、出力判定部１２０２により、音量アップダウン情報（詳細後述）をＡＶ機器２０１からＡＶ機器２０９へ送信するか否かを判定する。ＡＶ機器２０９は、ＡＶ機器２０１から送信された音量アップダウン情報を受信すると、音量情報生成部１２０３を用いて、受信された音量アップダウン情報と、ホールド部６０１に保存された音量情報とに基づいて次式の計算を実行する。
【００９２】
［数３］
（ホールド部６０１に保存された音量情報のレベル）
←（ホールド部６０１に保存された音量情報のレベル）±１
【００９３】
ＡＶ機器２０９は数３の計算を実行し、数３の計算結果をスイッチ部２１４を介して音声出力部２１３へ伝送する。
【００９４】
図１２は、図１１のＡＶ機器２０１及びＡＶ機器２０９を備えたＡＶシステムにおける音量情報の伝送方法、及び音量アップダウン情報の生成方法を示すタイミングチャートである。図１２において、ＡＶ機器２０１とＡＶ機器２０９との通信がいったん切断されて再接続された時点で、ＡＶ機器２０１は、音量アップダウン情報１２０１を送信する場合がある。
【００９５】
かかる構成によれば、ＡＶ機器２０１とＡＶ機器２０９との通信がいったん切断されて再接続された時点で、ＡＶ機器２０１からＡＶ機器２０９へ音量情報を送信する際に、メモリ１１０１に保存された、ＡＶ機器２０１とＡＶ機器２０９との通信が切断する直前に送信済みの音量情報（図１１ではレベル３の音量情報）と、再接続された時点で送信すべき音量情報（図１１ではレベル９の音量情報）との間に大きな差が存在する場合であっても、ＡＶ機器２０１は、音量情報のレベルを１だけ増減させる音量アップダウン情報を再接続後に送信することにより、スピーカ２１６から出力される音声の音量の急激な増大を防止することができる。このために、ＡＶ機器２０１は、ＡＶ機器２０１とＡＶ機器２０９との通信がいったん切断されてから再接続された時点で、出力判定部１２０２により、音量情報のレベルを１つ上げる音量アップ情報及び音量情報のレベルを１つ下げる音量ダウン情報のいずれかである音量アップダウン情報１２０１をＡＶ機器２０１からＡＶ機器２０９へ送信するか否かを判定し、その判定結果に従って、ＡＶ機器２０１からＡＶ機器２０９へ音量アップダウン情報１２０１を送信するか、そうでなければ最新の音量情報を送信する。
【００９６】
図１３は、図１１のＡＶシステムのＡＶ機器２０１において実行される音量アップダウン情報生成処理を示すフローチャートである。この処理は、音量アップダウン情報１２０１をＡＶ機器２０１からＡＶ機器２０９に送信するか否かを判定するための手順である。
【００９７】
図１３において、ＡＶ機器２０１とＡＶ機器２０９との通信がいったん切断されて再接続されると、ＡＶ機器２０１は、ステップ１３０１において、通信再接続後に送信すべきＡＶ機器２０１の音量情報のレベルと、メモリ１１０１に保存された音量情報のレベルとの差分Ｄ２を計算し、次いで、ステップ１３０２及び１３０３において、計算結果の差分Ｄ２の絶対値が１より大きいか否かを判定する。差分Ｄ２の絶対値が１以下であるときには、ステップ１３０４に進んで、通信再接続後に送信すべき最新のＡＶ機器２０１の音量情報をＡＶ機器２０９へ伝送し、処理を終了する。一方、ステップ１３０２において、通信再接続後に送信すべき音量情報のレベルが、メモリ１１０１に保存された音量情報のレベルよりも２以上大きいと判断された場合には、次いでステップ１３０８において、ＡＶ機器２０１からＡＶ機器２０９へ音量アップ情報を送信し、次いでステップ１３０９において、音量情報生成部１２０３により、メモリ１１０１に保存された音量情報に基づいて次式の計算を実行する。
【００９８】
［数４］
（メモリ１１０１に保存された音量情報のレベル）
←（メモリ１１０１に保存された音量情報のレベル）＋１
【００９９】
数４の計算を実行した後、ステップ１３０７において、数４の計算結果をメモリ１１０１へ保存し、差分を計算するステップ１３０１へ戻る。又は、ステップ１３０３において、通信再接続後に送信すべき音量情報のレベルが、メモリ１１０１に保存された音量情報のレベルよりも２以上小さいと判断された場合には、次いでステップ１３０５において、ＡＶ機器２０１からＡＶ機器２０９へ音量ダウン情報を送信し、次いでステップ１３０６において、音量情報生成部１２０３により、メモリ１１０１に保存された音量情報に基づいて次式の計算を実行する。
【０１００】
［数５］
（メモリ１１０１に保存された音量情報のレベル）
←（メモリ１１０１に保存された音量情報のレベル）−１
【０１０１】
数５の計算を実行した後、ステップ１３０７において、数５の計算結果をメモリ１１０１へ保存し、差分を計算するステップ１３０１へ戻る。
【０１０２】
ＡＶ機器２０１は、ＡＶ機器２０１からＡＶ機器２０９へ音量情報を送信して、当該音量情報を受信したことを示す通信応答信号をＡＶ機器２０９から受信すると、ＡＶ機器２０１からＡＶ機器２０９へ送信した音量情報をメモリ１１０１に保存する。
【０１０３】
第４の実施形態の変形例．
なお、本実施形態においても、第１の実施形態の変形例と同様に、その変形例の構成を実装できることは明らかであろう。本実施形態において、図１１にＡＶシステムの構成図を示したが、別の構成でもよい。また、図１３に音量アップダウン情報１２０１の生成手順を示したが、別の方法でもよい。
【０１０４】
また、音量情報生成部１１０３をＣＰＵ部２１２と別にする例を示したが、音量情報生成部１１０３をＣＰＵ部２１２に含めてもよい。また、音量情報生成部１１０３を音声出力部２１３と別にする例を示したが、音量情報生成部１１０３を音声出力部２１３に含めてもよい。また、音量情報生成部１１０３をスイッチ部２１４と別にする例を示したが、音量情報生成部１１０３をスイッチ部２１４に含めてもよい。また、数３、数４又は数５において、「１」を加算する、又は減算するとしたが、それに代わって、小数又は分数などを含む別の値を加算したり、減算したりしてもよい。また、数３、数４又は数５において、加算又は減算を行うとしたが、割り算や掛け算などを含む別の計算式を用いたステップを実行してもよい。
【０１０５】
第５の実施形態．
図１４は、本発明の第５の実施形態に係るＡＶシステムの構成を示すブロック図である。図１５において、図２及び図６と同じ構成要素については同じ符号を用い、説明を省略する。
【０１０６】
図１４において、ＡＶ機器２０１は、生成部１４０１をＣＰＵ部２０２と通信部２０７との間にさらに備え、この生成部１４０１により、音量情報ヘッダと音量情報ペイロードを合成して音情報パケットを生成して、通信部２０７を介してＡＶ機器２０９へ送信させる。ＡＶ機器２０９は、ＣＰＵ部２１２と、スイッチ２１４及び音声出力部２１３との間に分離部１４０２をさらに備え、この分離部１４０２により、ＡＶ機器２０１から受信した音情報パケットから、音量情報ヘッダと音量情報ペイロードを分離して生成し、音量情報をスイッチ部２１４へ伝送し、音声情報を音声出力部２１３へ伝送する。
【０１０７】
図１５は、図１４のＡＶシステムにおいて伝送される音情報パケットのデータ構成を示す図である。図１５に示すように、音情報パケット１５０１は、音量情報ヘッダ１５０２と、音声情報ペイロード１５０３から構成される。
【０１０８】
かかる構成によれば、ＡＶ機器２０１のスピーカ２０６や、ＡＶ機器２０９のスピーカ２１６からは、音量情報に従った音量を伴う音声情報が出力される。一般に、出力される音声の内容は、音声情報に含まれる周波数情報であり、音量情報は音声情報に含まれる振幅情報に対応する。ここで、ＡＶ機器２０１からＡＶ機器２０９へ音声情報と音量情報を伝送するにあたり、音量情報を示す音量情報ヘッダ１５０２と、音声情報を示す音声情報ペイロード１５０３とからなる音情報パケットを伝送することにより、音量情報と音声情報とを同時に伝送することが可能となり、又は、伝送した音声情報に対応する音量情報を伝送することが可能となる。
【０１０９】
かかる構成によれば、ＡＶ機器２０１からＡＶ機器２０９へ音声情報と音量情報を伝送する際に、生成部１５０１で音量情報ヘッダ１４０２と音量情報ペイロード１４０３とを合成して音情報パケット１４０１を生成し、ＡＶ機器２０１からＡＶ機器２０９へ伝送する。ＡＶ機器２０９の分離部１５０２は、受信した音情報パケット１４０１から、音量情報ヘッダ１４０２と音量情報ペイロード１４０３を分離して生成し、音量情報をスイッチ部２１４へ、音声情報を音声出力部２１３へ伝送し、それによって、音量情報と音声情報とを同時に伝送すること、又は、伝送した音声情報に対応する音量情報を伝送すること、もしくは、ＡＶ機器２０１がＡＶ機器２０９の音量情報を制御することが可能となる。
【０１１０】
第５の実施形態の変形例．
なお、本実施形態においても、第１の実施形態の変形例と同様に、その変形例の構成を実装できることは明らかであろう。本実施形態において、図１５にＡＶシステムの構成図を示したが、別の構成でもよい。
【０１１１】
また、生成部１５０１をＣＰＵ部２０２と別にするとしたが、生成部１５０１をＣＰＵ部２０２に含めてもよい。また、分離部１５０２をＣＰＵ部２１２と別にするとしたが、分離部１５０２をＣＰＵ部２１２に含めてもよい。
【産業上の利用可能性】
【０１１２】
本発明のＡＶシステムによれば、少なくとも音量制御機能と音声出力機能を備えた第１のＡＶ機器と、少なくとも音量制御機能と音声出力機能を備えた第２のＡＶ機器とを有線又は無線で接続したＡＶシステムにおいて、第１のＡＶ機器からの音声出力と第２のＡＶ機器からの音声出力のタイミングを同期させ、また音量を一致させることができるので、音声出力機能を備えたＡＶ機器の音声出力制御方法等として有用である。
【図面の簡単な説明】
【０１１３】
【図１】従来技術に係る音声出力制御方法の説明図である。
【図２】本発明の第１の実施形態に係るＡＶシステムの構成を示すブロック図である。
【図３】図２のＡＶシステムにおける音声情報の伝送方法を示すタイミングチャートである。
【図４】図２のＡＶシステムにおける音量情報の伝送方法を示すタイミングチャートである。
【図５】図２のＡＶシステムにおける音量情報の伝送方法を示すタイミングチャートである。
【図６】本発明の第２の実施形態に係るＡＶシステムの構成を示すブロック図である。
【図７】図６のＡＶシステムにおける音声情報の伝送方法を示すタイミングチャートである。
【図８】本発明の第３の実施形態に係るＡＶシステムの構成を示すブロック図である。
【図９】図８のＡＶシステムにおける音量情報の伝送方法、及び仮想音量情報の生成方法を示すタイミングチャートである。
【図１０】図８のＡＶシステムにおいて実行される仮想音量情報生成処理を示すフローチャートである。
【図１１】本発明の第４の実施形態に係るＡＶシステムの構成を示すブロック図である。
【図１２】図１１のＡＶシステムにおける音量情報の伝送方法、及び音量アップダウン情報の生成方法を示すタイミングチャートである。
【図１３】図１１のＡＶシステムにおいて実行される音量アップダウン情報生成処理を示すフローチャートである。
【図１４】本発明の第５の実施形態に係るＡＶシステムの構成を示すブロック図である。
【図１５】図１４のＡＶシステムにおいて伝送される音情報パケットのデータ構成を示す図である。
【符号の説明】
【０１１４】
２０１，２０９…ＡＶ機器、
２０２，２１２…ＣＰＵ部、
２０３…メディア再生部、
２０４，２１３…音声出力部、
２０５，２１５…音量制御部、
２０６，２１６…スピーカ、
２０７，２１１…通信部、
２０８，２１０…アンテナ、
２１４…スイッチ部、
３０１，３０２…時間軸、
３０３…音声情報、
３０４，４０２…ＡＣＫ信号、
３０５…遅延時間、
３０６，３０７…音声出力信号、
４０１，７０２…音量情報、
４０３，４０４…制御信号、
６０１…ホールド部、
７０１…通信不可期間、
８０１，１１０１…メモリ、
８０２，１１０３…音量情報生成部、
９０１…仮想音量情報、
１１０２…出力判定部、
１２０１…音量アップダウン情報、
１４０１…生成部、
１４０２…分離部、
１５０１…音情報パケット、
１５０２…音量情報ヘッダ、
１５０３…音声情報ペイロード。
【図１】
2007097097.tif 000003
【図２】
2007097097.tif 000004
【図３】
2007097097.tif 000005
【図４】
2007097097.tif 000006
【図５】
2007097097.tif 000007
【図６】
2007097097.tif 000008
【図７】
2007097097.tif 000009
【図８】
2007097097.tif 000010
【図９】
2007097097.tif 000011
【図１０】
2007097097.tif 000012
【図１１】
2007097097.tif 000013
【図１２】
2007097097.tif 000014
【図１３】
2007097097.tif 000015
【図１４】
2007097097.tif 000016
【図１５】
2007097097.tif 000017